(57)【要約】【課題】本発明は以上の課題に鑑みてなされたものであって、電源が投入されていない状態でも記録媒体の排出を可能にする。【解決手段】装置各部に電源供給がなされていない状態でイジェクトスイッチ１０９を介して記録媒体の排出の指示があった場合には、電源供給手段１０４は装置各部に電源供給を開始し、制御手段１０１は、記録媒体排出手段１４２に対して記録媒体を排出させる制御を行うと共に、該記録媒体の排出が完了するまでの間は電源供給手段１０４に対して電源供給状態を保持する電源保持制御を行う。【選択図】      図１
2004185780.tif 000002
【特許請求の範囲】
【請求項１】
他の機器との間でデータ転送と電力供給授受とがケーブルを介して可能に構成されたバスを備え、挿抜自在な記録媒体が用いられるリムーバブルディスクドライブ装置であって、
記録媒体の排出の指示が入力されるイジェクトスイッチと、
記録媒体の排出を実行する記録媒体排出手段と、
装置各部に電源を供給する電源供給手段と、
装置各部の動作状態を制御する制御手段と、を備え、
前記電源供給手段は、装置各部に電源供給がなされていない状態で該イジェクトスイッチを介して記録媒体の排出の指示があった場合に、装置各部に電源供給を開始し、
前記制御手段は、装置各部に電源供給がなされていない状態で該イジェクトスイッチを介して記録媒体の排出の指示があった場合に、前記記録媒体排出手段に対して、記録媒体を排出する制御を行う、
ことを特徴とするリムーバブルディスクドライブ装置。
【請求項２】
他の機器との間でデータ転送と電力供給授受とがケーブルを介して可能に構成されたバスを備え、挿抜自在な記録媒体が用いられるリムーバブルディスクドライブ装置であって、
記録媒体の排出の指示が入力されるイジェクトスイッチと、
記録媒体の排出を実行する記録媒体排出手段と、
装置各部に電源を供給する電源供給手段と、
装置各部の動作状態を制御する制御手段と、を備え、
前記電源供給手段は、装置各部に電源供給がなされていない状態で該イジェクトスイッチを介して記録媒体の排出の指示があった場合に、装置各部に電源供給を開始し、
前記制御手段は、装置各部に電源供給がなされていない状態で該イジェクトスイッチを介して記録媒体の排出の指示があった場合に、前記記録媒体排出手段に対して記録媒体を排出する制御を行うと共に、該記録媒体の排出が完了するまでの間、前記電源供給手段に対して電源供給状態を保持する電源保持制御を行う、ことを特徴とするリムーバブルディスクドライブ装置。
【発明の詳細な説明】
【０００１】
【発明の属する技術分野】
本発明は挿抜自在な記録媒体を用いるリムーバブルディスクドライブ装置に関し、特に、他の機器（ＰＣ）との間でデータ転送と電力供給授受とが可能に構成されたＵＳＢなどのバスを備えたリムーバブルディスクドライブ装置に関する。
【０００２】
【従来の技術】
光磁気（ＭＯ）ディスクや光ディスクなどを挿抜可能な状態で扱えるリムーバブルディスクドライブ装置などのコンピュータ周辺機器の場合、コンピュータなどの他の機器（ホストＰＣ）との間でデータ転送と電力供給授受とが可能に構成されたＵＳＢ（Ｕｎｉｖｅｒｓａｌ  Ｓｅｒｉａｌ  Ｂｕｓ）などのバスを備えたものが存在している。
【０００３】
このような周辺機器としてのリムーバブルディスクドライブ装置１００をＵＳＢインタフェースによりホストＰＣ３００に接続する場合、図５に示すように、ＵＳＢインタフェースケーブル２００により接続する。
【０００４】
この図５のように接続することで、ＰＣ３００とリムーバブルディスクドライブ装置１００でのデータ転送と、ホストＰＣ３００からリムーバブルディスクドライブ装置１００への電力供給とを、ＵＳＢインタフェースケーブル２００によって同時に行うことが可能になる。なお、このような接続は、バスパワー方式と呼ばれている。
【０００５】
また、ＵＳＢインタフェースの場合、Ｄａｔａ＋，Ｄａｔａ−，ＧＮＤ，ＶＢＵＳのピンアサインが定められており、ＶＢＵＳのピンを介して５Ｖ，０．５Ａ（２．５Ｗ）までの電力を供給することが可能なように規格が定められている。
【０００６】
一方、２．５Ｗ以上の電力が必要となる場合には、図６に示すようなセルフパワー方式と呼ばれる接続を行う。すなわち、ＰＣ３００とリムーバブルディスクドライブ装置１００の間でＵＳＢインタフェースケーブル２００でデータ転送を行い、リムーバブルディスクドライブ装置１００の電力はＡＣアダプタ４００などの専用電源を用意する。
【０００７】
従来のリムーバブルディスクドライブ装置では、電源スイッチによって電源ＯＮ／ＯＦＦをするものが存在している（▲１▼）。また、従来のリムーバブルディスクドライブ装置として、電源スイッチによって電源ＯＮ／ＯＦＦをする代わりに、バスを介してホストＰＣから電力供給される端子の電圧を監視しておき、その電圧の有無で電源ＯＮ／ＯＦＦをするものが存在している（▲２▼）。
【０００８】
すなわち、バスの所定の端子に電圧が現れれば、ホストＰＣが稼働しており、ホストＰＣとリムーバブルディスクドライブ装置との間のインタフェースケーブルも接続されていることを意味している。また、バスの所定の端子に電圧が無くなれば、ホストＰＣが停止するか、あるいは、ホストＰＣとリムーバブルディスクドライブ装置との間のインタフェースケーブルが抜かれたことを意味している。
【０００９】
なお、リムーバブルディスクドライブ装置において、以上の▲２▼のように電源の管理を行うことが、本件出願人が既に出願した以下の特許文献１に述べられている。
【００１０】
【特許文献１】
特開２００１−３５０５４８号公報（第３頁〜第５頁、図１）
【００１１】
【発明が解決しようとする課題】
ところで、リムーバブルディスクドライブ装置の電源がオフの状態で、記録媒体の排出だけを行いたいという要望もある。このような場合、リムーバブルディスクドライブ装置の電源を投入してから、イジェクトスイッチを操作する必要があり、操作性が良くないという問題があった。また、記録媒体の排出後に再度電源スイッチにより電源を切断する必要もあり、操作が繁雑になり、操作性は良くなかった。
【００１２】
本発明は以上の課題に鑑みてなされたものであって、電源が投入されていない状態でも記録媒体の排出が可能なリムーバブルディスクドライブ装置を実現することを目的とする。
【００１３】
【課題を解決するための手段】
すなわち、上記の課題を解決する手段としての本願発明は以下に述べるようなものである。
【００１４】
（１）請求項１記載の発明は、他の機器との間でデータ転送と電力供給授受とがケーブルを介して可能に構成されたバスを備え、挿抜自在な記録媒体が用いられるリムーバブルディスクドライブ装置であって、記録媒体の排出の指示が入力されるイジェクトスイッチと、記録媒体の排出を実行する記録媒体排出手段と、装置各部に電源を供給する電源供給手段と、装置各部の動作状態を制御する制御手段と、を備え、前記電源供給手段は、装置各部に電源供給がなされていない状態で該イジェクトスイッチを介して記録媒体の排出の指示があった場合に、装置各部に電源供給を開始し、前記制御手段は、装置各部に電源供給がなされていない状態で該イジェクトスイッチを介して記録媒体の排出の指示があった場合に、前記記録媒体排出手段に対して、記録媒体を排出する制御を行う、ことを特徴とするリムーバブルディスクドライブ装置である。
【００１５】
この発明では、装置各部に電源供給がなされていない状態でイジェクトスイッチを介して記録媒体の排出の指示があった場合には、電源供給手段は装置各部に電源供給を開始し、前記制御手段は、記録媒体排出手段に対して記録媒体を排出させる制御を行う。
【００１６】
これにより、リムーバブルディスクドライブ装置に電源が投入されていない状態であっても記録媒体の排出が可能になる。また、電源投入や電源切断などの面倒な操作が不要になり操作性が向上する。
【００１７】
（２）請求項２記載の発明は、他の機器との間でデータ転送と電力供給授受とがケーブルを介して可能に構成されたバスを備え、挿抜自在な記録媒体が用いられるリムーバブルディスクドライブ装置であって、記録媒体の排出の指示が入力されるイジェクトスイッチと、記録媒体の排出を実行する記録媒体排出手段と、装置各部に電源を供給する電源供給手段と、装置各部の動作状態を制御する制御手段と、を備え、前記電源供給手段は、装置各部に電源供給がなされていない状態で該イジェクトスイッチを介して記録媒体の排出の指示があった場合に、装置各部に電源供給を開始し、前記制御手段は、装置各部に電源供給がなされていない状態で該イジェクトスイッチを介して記録媒体の排出の指示があった場合に、前記記録媒体排出手段に対して記録媒体を排出する制御を行うと共に、該記録媒体の排出が完了するまでの間、前記電源供給手段に対して電源供給状態を保持する電源保持制御を行う、ことを特徴とするリムーバブルディスクドライブ装置である。
【００１８】
この発明では、装置各部に電源供給がなされていない状態でイジェクトスイッチを介して記録媒体の排出の指示があった場合には、電源供給手段は装置各部に電源供給を開始し、前記制御手段は、記録媒体排出手段に対して記録媒体を排出させる制御を行うと共に、該記録媒体の排出が完了するまでの間は電源供給手段に対して電源供給状態を保持する電源保持制御を行う。
【００１９】
これにより、リムーバブルディスクドライブ装置に電源が投入されていない状態であっても記録媒体の排出が可能になる。また、イジェクトスイッチの操作が一瞬であったとしても、電源保持制御によって安定した記録媒体排出が実行できる。さらに、電源投入や電源切断などの面倒な操作が不要になり操作性が向上する。
【００２０】
【発明の実施の形態】
以下、図面を参照して本発明の実施の形態例を詳細に説明する。なお、以下の実施の形態例では、コンピュータ（ホストＰＣ）などの他の機器との間でデータ転送と電力供給授受とがケーブルを介して可能に構成されたバスを備えたリムーバブルディスクドライブ装置を具体例として説明する。
【００２１】
また、他の機器（ＰＣ）との間でデータ転送と電力供給授受とがケーブルを介して可能に構成されたバスとしては、ＵＳＢ（Ｕｎｉｖｅｒｓａｌ  Ｓｅｒｉａｌ  Ｂｕｓ）を具体例に用いて説明を行う。
【００２２】
図１は本発明の第１の実施の形態例の構成を示すブロック図である。この図１において、１０はリムーバブルディスクドライブ装置において挿抜可能な状態で扱える光磁気（ＭＯ）ディスクや光ディスクなどの記録媒体である。
【００２３】
１００は本実施の形態例のリムーバブルディスクドライブ装置であり、ＵＳＢインタフェースなどによりコンピュータ（ホストＰＣ）に接続されるＭＯドライブ装置などの周辺機器の一種である。
【００２４】
また、２００は、リムーバブルディスクドライブ装置１００とホストＰＣとを接続するインタフェースケーブルであり、３００はインタフェースケーブル２００によりリムーバブルディスクドライブ装置１００と接続されるホストＰＣ（パーソナルコンピュータ等）である。
【００２５】
なお、以上のリムーバブルディスクドライブ装置１００は、この図１のように接続することで、ＰＣ３００とリムーバブルディスクドライブ装置１００でのデータ転送と、ホストＰＣ３００からリムーバブルディスクドライブ装置１００への電力供給とを、インタフェースケーブル２００によって同時に行うことが可能に構成されている。また、図６に示したように、ＰＣ３００とリムーバブルディスクドライブ装置１００の間でＵＳＢインタフェースケーブル２００でデータ転送を行い、リムーバブルディスクドライブ装置１００の電力はＡＣアダプタ（図示せず）などの専用電源を接続することも可能である。
【００２６】
１０１はリムーバブルディスクドライブ装置１００の各部の動作状態を制御する制御手段であり、この制御手段１０１は、後述するように、電力供給検知手段の検知結果と記録媒体検知手段の検知結果とを参照し、インタフェースを介して外部機器から電力供給が可能な状態になっている場合には、該リムーバブルディスクドライブ装置を稼働状態に制御し、インタフェースを介して外部機器から電力供給が可能な状態なっていない場合には、該リムーバブルディスクドライブ装置を待機状態に制御する。
【００２７】
また、この制御手段１０１は、装置各部に電源供給がなされていない状態でイジェクトスイッチを介して記録媒体の排出の指示があった場合には、記録媒体排出手段に対して記録媒体を排出させる制御を行う。さらに、この制御手段１０１は、装置各部に電源供給がなされていない状態でイジェクトスイッチを介して記録媒体の排出の指示があった場合には、記録媒体の排出が完了するまでの間は、電源供給手段に対して電源供給状態を保持する電源保持制御を行う。
【００２８】
１０２はセルフパワー方式として外部のＡＣアダプタなどの電源手段からの電力供給を受ける外部電源端子である。なお、この電源供給端子からリムーバブルディスクドライブ装置１００内部の各部に必要な電力を供給する電力供給手段１０４については周知の電源供給機能を有するものである。
【００２９】
なお、外部電源端子１０２は、インタフェースケーブル２００を介した場合よりも大きな電力の供給を外部の電源手段から受けることが可能であることが望ましい。
【００３０】
１０３はバスパワー方式としてインタフェースケーブルを介して電力供給を受けることと、インタフェースケーブルを介してデータ転送することとがケーブルを介して可能に構成されたバス端子である。
【００３１】
１０４はリムーバブルディスクドライブ装置１００各部に電源供給を行う電源供給手段である。なお、この電源供給手段１０４は、装置各部に電源供給がなされていない状態でイジェクトスイッチを介して記録媒体の排出の指示があった場合には、装置各部に電源供給を開始する。また、この電源供給手段１０４は、制御手段１０１から電源保持制御の指示を受けた場合には、この電源保持制御の指示が解除されるまでは、装置各部への電源供給を続行する。
【００３２】
１０５は、ホストＰＣ３００との間でデータ転送と電力供給授受とがインタフェースケーブル２００を介して可能に構成されている場合に、インタフェースケーブル２００を介したホストＰＣ３００からの電力供給の有無を検知する電源供給検知手段である。
【００３３】
１０６はインタフェースにおけるデータ転送を高速に行うための高速インタフェース回路である。この高速インタフェース１０６は、インタフェース端子１０３からの信号ラインを経由してデータ転送を行っている。
【００３４】
１０７はセンサであり、該リムーバブルディスクドライブ装置１００内に記録媒体１０が装着されているか否かを検知する記録媒体検知手段を構成している。なお、記録媒体１０に設けられた書き込み許可／禁止ノッチの状態を検出する書き込み可否状態検出手段用のセンサを、記録媒体検知手段として用いることも可能である。
【００３５】
１０９は記録媒体１０の排出の指示が入力されるイジェクトスイッチである。このイジェクトスイッチ１０９の操作の結果は、制御手段１０１と電源供給手段１０４とに伝達される。
【００３６】
１１０は光ディスクに対してリード／ライトする際に必要な信号処理を行う信号処理回路、１１１はリード／ライトする際のデータを一定の量だけ記憶しておくキャッシュメモリである。
【００３７】
１２０は光ディスクに対して光を用いてリード／ライトするための光ピックアップ、１２１は光ピックアップ１２０を光ディスクの所定のトラックにアクセスさせるためのフォーカス制御やトラッキング制御を行うＰＵ制御回路、１２２は光ピックアップ１２０でリード／ライトするためのリード／ライト回路である。
【００３８】
１３０は光ピックアップ１２０を光ディスクの所望のトラックにトラックジャンプしてアクセスさせるためのシーク動作を行うためのリニアモータ、１３１はリニアモータ１３０を制御するリニアモータ制御回路である。
【００３９】
１４０は光ディスクを回転駆動するスピンドルモータ１４０、１４１はスピンドルモータ１４０を所定の回転数で回転させる制御を行うスピンドルモータ制御回路である。
【００４０】
１４２はイジェクトスイッチ１０９の操作に応じた制御手段１０１からの指示に基づいて、記録媒体１０を装置外に排出するための機構を有する排出手段である。
【００４１】
なお、以上の構成において、この制御手段１０１は、以下の▲１▼と▲２▼の制御を実行することを特徴としている。
【００４２】
制御▲１▼：装置各部に電源供給がなされていない状態でイジェクトスイッチ１０９を介して記録媒体１０の排出の指示があった場合には、記録媒体排出手段１４２に対して記録媒体１０を排出させる制御を行う。
【００４３】
制御▲２▼：装置各部に電源供給がなされていない状態でイジェクトスイッチ１０９を介して記録媒体１０の排出の指示があった場合には、記録媒体１０の排出が完了するまでの間は、電源供給手段１０４に対して電源供給状態を保持する電源保持制御を行う。
【００４４】
ここで、図２のフローチャート、図３のフローチャート、図４の状態説明図を参照して、本実施の形態例のリムーバブルディスクドライブ装置１００の動作説明を行う。
【００４５】
なお、図４の状態説明図は、制御手段１０１と電源供給手段１０４との制御によって、本実施の形態例のリムーバブルディスクドライブ装置１００がどのような状況にあるかを、模式的に示す状態説明図である。
【００４６】
まず、ＶＢＵＳ供給による電源制御の例を先に説明し、次に本実施の形態例の特徴部分であるイジェクトスイッチの操作に基づく制御について説明することにする。
【００４７】
〈ＶＢＵＳ供給による電源制御〉
まず、リムーバブルディスクドライブ装置１００には、ＡＣアダプタ（図示せず）などから電源供給がなされておらず、このため、制御手段１０１の制御によって動作が停止した状態になっている（図２ステップ１）。また、この状態では、リムーバブルディスクドライブ装置１００の各部にも電源の供給がなされていない。
【００４８】
ここで、リムーバブルディスクドライブ装置１００にＡＣアダプタ（図示せず）などから電源供給がなされると（図２ステップ２でＹ）、制御手段１０１は、リムーバブルディスクドライブ装置１００の各部を「待機モード」として最低限の部位のみを低速の動作クロックで動作させる。すなわち、インタフェース回路１０６や信号処理回路１１０などを停止させておく。また、光ピックアップ１２０やスピンドルモータ１４０およびそれらの制御回路なども停止させておく。なお、電源供給手段１０４と電源供給検知手段１０５とは動作させておく。このような待機モードの動作により、消費電力は最低限の状態になっている。なお、このような待機モードの状態をＶＢＵＳによる電源供給があるまで実行する（図２ステップ４でＮ）。この状態は、図４（ａ）に示す状態▲１▼である。
【００４９】
なお、制御手段１０１は、電力供給検知手段１０５の検知結果を参照し、インタフェースを介してホストＰＣ３００から電力供給が可能な状態になっているかを定期的に調べている（図２ステップ４）。なお、このインタフェース内の電源供給用のピンがＶＢＵＳである。
【００５０】
ここで、ＶＢＵＳがオフ（図２ステップ４でＮ）であれば、ホストＰＣ３００が動作状態にないことを意味しているので、制御手段１０１はリムーバブルディスクドライブ装置１００の待機モードを維持する。
【００５１】
そして、電力供給検知手段１０５の検知結果を参照し、インタフェースを介してホストＰＣ３００から電力供給が可能な状態になっている（図２ステップ４でＹ）場合には、制御手段１０１は、該リムーバブルディスクドライブ装置１００を稼働状態に移行させる制御を実行する。
【００５２】
すなわち、電源供給手段１０４は制御手段１０１の制御に基づいてリムーバブルディスクドライブ装置１００の各部に電源供給を開始する（図２ステップ５）。この状態は、図４（ｂ）に示す状態▲２▼である。
【００５３】
さらに、制御手段１０１は、電源供給手段１０４に対して、電源供給状態を保持する電源保持制御を行う（図２ステップ６：電源保持制御ＯＮ）。この状態は、図４（ｃ）に示す状態▲３▼である。
【００５４】
ここで、制御手段１０１から電源保持制御の指示を受けた電源供給手段１０４は、この電源保持制御の指示が解除されるまでは、装置各部への電源供給を続行する。
【００５５】
また、制御手段１０１は、必要に応じてリムーバブルディスクドライブ装置１００の各部を初期化し、ホストＰＣ３００側からの指示に基づいて、通常の記録媒体のリード／ライトの動作を実行する。この際に制御手段１０１は、リムーバブルディスクドライブ装置１００の各部を「稼働モード」として全体を通常の動作クロックで動作させている。このような稼働モードの動作により、消費電力は通常の定格の状態になっている。
【００５６】
また、この制御手段１０１の制御によって稼働モードになったリムーバブルディスクドライブ装置１００では、インタフェース回路１０６がホストＰＣ３００と通信を開始することにより、ホストＰＣ３００側にリムーバブルディスクドライブ装置１００が認識されることとなる。
【００５７】
この稼働モードにおいても、制御手段１０１は、電力供給検知手段１０５の検知結果を参照し、インタフェースのＶＢＵＳを介してホストＰＣ３００から電力供給が可能な状態になっているかを定期的に調べる（図２ステップ７）。
【００５８】
また、ここで、ＶＢＵＳがオフ（図２ステップ７でＹ）になっていれば、ホストＰＣ３００が動作状態になくなったことを意味しているので、制御手段１０１は、必要に応じて、スピンダウン処理により記録媒体１０を停止させる（図２ステップ８）。この状態は、図４（ｆ）に示す状態▲６▼である。
【００５９】
そして、制御手段１０１はリムーバブルディスクドライブ装置１００のインタフェース回路１０６を停止させる。また、制御手段１０１は、キャッシュメモリ１１１内に、未記録のデータが存在していないか、スピンダウン処理は完了したか、等を確認する。このようにして、電源切断の準備が整った時点で（図２ステップ８でＹ）、電源保持制御を解除する（図２ステップ９：電源保持制御ＯＦＦ）。この状態は、図４（ａ）に示す状態▲１▼である。ここで、電源供給手段１０４は、リムーバブルディスクドライブ装置１００の各部への電源供給を停止する（図２ステップ１０）。
【００６０】
〈電源非投入時におけるイジェクト制御〉
ここでは、ＶＢＵＳがオフになっている状態であって、リムーバブルディスクドライブ装置１００の電源も投入されていない状態で、イジェクトスイッチの操作があった場合について説明を行う。
【００６１】
まず、リムーバブルディスクドライブ装置１００には、ＡＣアダプタ（図示せず）などから電源供給がなされておらず、このため、制御手段１０１の制御によって動作が停止した状態になっている（図３ステップ１）。また、この状態では、リムーバブルディスクドライブ装置１００の各部にも電源の供給がなされていない。
【００６２】
ここで、リムーバブルディスクドライブ装置１００にＡＣアダプタ（図示せず）などから電源供給がなされると（図３ステップ２でＹ）、制御手段１０１は、リムーバブルディスクドライブ装置１００の各部を「待機モード」として最低限の部位のみを低速の動作クロックで動作させる。すなわち、インタフェース回路１０６や信号処理回路１１０などを停止させておく。また、光ピックアップ１２０やスピンドルモータ１４０およびそれらの制御回路なども停止させておく。なお、電源供給手段１０４と電源供給検知手段１０５とは動作させておく。このような待機モードの動作により、消費電力は最低限の状態になっている。
【００６３】
なお、このような待機モードの状態を、制御手段１０１の制御により、イジェクトスイッチの操作があるまで実行する（図３ステップ４でＮ）。この状態は、図４（ａ）に示す状態▲１▼である。
【００６４】
なお、制御手段１０１は、イジェクトスイッチ１０９が接続された入力ポートの状況を参照し、イジェクトスイッチ１０９の操作がなされたか否かを定期的に調べている（図３ステップ４）。
【００６５】
ここで、イジェクトスイッチ１０９の操作がなければ（図３ステップ４でＮ）、制御手段１０１はリムーバブルディスクドライブ装置１００の待機モードを維持する。
【００６６】
そして、イジェクトスイッチ１０９の操作が一瞬でもあれば（図３ステップ４でＹ）場合には、制御手段１０１は、該リムーバブルディスクドライブ装置１００を稼働状態に移行させる制御を実行する。
【００６７】
すなわち、電源供給手段１０４は制御手段１０１の制御に基づいてリムーバブルディスクドライブ装置１００の各部に電源供給を開始する（図３ステップ５）。この状態は、図４（ｄ）に示す状態▲４▼である。なお、この実施の形態例においては、後述するイジェクト動作が目的であるので、少なくとも、記録媒体排出手段１４２への電源供給を行う。
【００６８】
さらに、制御手段１０１は、電源供給手段１０４に対して、電源供給状態を保持する電源保持制御を行う（図３ステップ６：電源保持制御ＯＮ）。この状態は、図４（ｅ）に示す状態▲５▼である。
【００６９】
ここで、制御手段１０１から電源保持制御の指示を受けた電源供給手段１０４は、この電源保持制御の指示が解除されるまでは、装置各部への電源供給を続行する。
【００７０】
また、制御手段１０１は、必要に応じてリムーバブルディスクドライブ装置１００の各部を初期化し、記録媒体排出手段１４２によって記録媒体１０を装置外に排出するイジェクト動作を実行する（図３ステップ７）。
【００７１】
このイジェクト動作において、制御手段１０１は、センサ１０７の検知結果を参照し、イジェクト動作が完了した状態になっているかを調べる（図３ステップ８）。
【００７２】
なお、この状態は、図４（ｆ）に示す状態▲６▼である。すなわち、イジェクトスイッチ１０９の操作が一瞬であったとしても、電源保持制御によって電源供給が安定してなされているので、イジェクト動作も安定して実行できる。すなわち、イジェクト動作が中断してしまうことがない。また、ユーザに対してイジェクトスイッチ１０９を長押しさせる必要もない。
【００７３】
そして、制御手段１０１はイジェクト動作をはじめとした各種処理が完了したか等を確認し、電源切断の準備が整った時点で（図３ステップ８でＹ）、電源供給手段１０４に対する電源保持制御を解除する（図３ステップ９：電源保持制御ＯＦＦ）。この状態は、図４（ａ）に示す状態▲１▼である。ここで、電源供給手段１０４は、リムーバブルディスクドライブ装置１００の各部への電源供給を停止する（図３ステップ１０）。
【００７４】
以上説明したように、本実施の形態例のリムーバブルディスクドライブ装置１００によれば、リムーバブルディスクドライブ装置１００に電源が投入されていない状態であっても記録媒体１０の排出が可能になる。また、このイジェクト動作には、電源投入や電源切断などの面倒な操作が不要になるため、操作性が向上する。
【００７５】
また、本実施の形態例のリムーバブルディスクドライブ装置１００では、電源保持制御を行うようにしているので、イジェクトスイッチの操作が一瞬であったとしても、イジェクト動作が中断することなく、電源保持制御によって安定した記録媒体排出が実行できる。すなわち、ユーザに対して、イジェクトスイッチ１０９を、イジェクト動作が終わるまで長押しさせる必要がなくなる。このため、面倒な操作が不要になり操作性が向上する。
【００７６】
〈その他の実施の形態例〉
また、他の機器との間でデータ転送と電力供給授受とがケーブルを介して可能に構成されたバスとして、ＵＳＢを具体例にしたが、ＩＥＥＥ１９４３などの他のインタフェースに適用することも可能である。
【００７７】
また、挿抜可能な状態で扱える光磁気（ＭＯ）ディスクや光ディスクなどに限られず、各種のリムーバブルディスクを用いるリムーバブルディスクドライブ装置に本実施の形態例を適用することが可能である。
【００７８】
また、コンピュータ機器に限らず、家庭用や車載用の各種オーディオ機器やビジュアル機器やゲーム機器などの各種機器に本実施の形態例を適用することも可能である。
【００７９】
【発明の効果】
以上、実施の形態例により詳細に説明したように、本発明では、以下に述べるような効果が得られる。
【００８０】
（１）請求項１記載の発明では、装置各部に電源供給がなされていない状態でイジェクトスイッチを介して記録媒体の排出の指示があった場合には、電源供給手段は装置各部に電源供給を開始し、制御手段は、記録媒体排出手段に対して記録媒体を排出させる制御を行う。これにより、リムーバブルディスクドライブ装置に電源が投入されていない状態であっても記録媒体の排出が可能になる。また、電源投入や電源切断などの面倒な操作が不要になり操作性が向上する。
【００８１】
（２）請求項２記載の発明では、装置各部に電源供給がなされていない状態でイジェクトスイッチを介して記録媒体の排出の指示があった場合には、電源供給手段は装置各部に電源供給を開始し、制御手段は、記録媒体排出手段に対して記録媒体を排出させる制御を行うと共に、該記録媒体の排出が完了するまでの間は電源供給手段に対して電源供給状態を保持する電源保持制御を行う。これにより、リムーバブルディスクドライブ装置に電源が投入されていない状態であっても記録媒体の排出が可能になる。また、イジェクトスイッチの操作が一瞬であったとしても、電源保持制御によって安定した記録媒体排出が実行できる。さらに、電源投入や電源切断などの面倒な操作が不要になり操作性が向上する。
【図面の簡単な説明】
【図１】本発明の実施の形態例のリムーバブルディスクドライブ装置の電気的な構成を示す機能ブロック図である。
【図２】本発明の実施の形態例における動作状態を示すフローチャートである。
【図３】本発明の実施の形態例における動作状態を示すフローチャートである。
【図４】本発明の実施の形態例における動作状態を示す状態説明図である。
【図５】バスパワー方式の接続を説明するための説明図である。
【図６】セルフパワー方式の接続を説明するための説明図である。
【符号の説明】
１００  リムーバブルディスクドライブ装置
１０１  制御手段
１０２  外部電源端子
１０３  インタフェース端子
１０４  電力供給手段
１０５  電力供給検知手段
１０６  インタフェース回路
１０７  センサ（記録媒体検知手段）
１０９  イジェクトスイッチ
１１０  信号処理回路
１１１  キャッシュメモリ
１２０  光ピックアップ
１２１  ＰＵ制御回路
１２２  リード／ライト回路
１３０  リニアモータ
１３１  リニアモータ制御回路
１４０  スピンドルモータ
１４１  スピンドルモータ制御回路
１４２  記録媒体排出手段
【図１】
2004185780.tif 000003
【図２】
2004185780.tif 000004
【図３】
2004185780.tif 000005
【図４】
2004185780.tif 000006
【図５】
2004185780.tif 000007
【図６】
2004185780.tif 000008